(57)【特許請求の範囲】
【請求項１】
流体通路に介装され、該流体通路を緊急時に遮断する遮断弁であって、
流体の入口部と、出口部と、該入口部と出口部とを連絡する流体通路部とを備えた弁本体と、
前記流体通路部にスライド自由に設けられた弁体と、
前記弁体を常時は流体通路部に設けられた弁座に着座させる閉弁スライド方向に弾性付勢する弁体用弾性部材と、
前記弁体のスライド経路に、弁体を開弁方向にスライドした位置で係止する係止位置と、該係止を解除する係止解除位置との間をスライド自由に設けられたストッパと、
前記ストッパを常時は前記係止解除位置となる方向に弾性付勢するストッパ用弾性部材と、
前記弁本体のストッパのスライド経路の延長線上に設けられて、前記ストッパの一端部に設けられた作動ロッド部が貫通可能な貫通孔と、
前記弁本体の前記貫通孔周りに設けられ、該貫通孔周りの弁本体外面に磁力を発生させる環状のマグネットと、
リング状板部と該板部の表面周部から立ち上がる筒状板部とからなり、前記リング状板部と筒状板部からなるリング状の陥凹部に前記マグネットを保持する磁性体からなるマグネットケースと、
前記貫通孔周りの弁本体外面に前記マグネットの磁力により吸着されて前記貫通孔から貫通突出される作動ロッド部を押圧して前記ストッパを前記係止位置に保持し、前記貫通孔周りの弁本体外面から前記マグネットの磁力に抗して引き離された際に前記作動ロッド部の押圧によるストッパ係止位置保持を解除する磁性体からなる緊急弁体作動体と、
を含んで構成され、
前記マグネットによる磁力を発生する貫通孔周りの弁本体外面に、陥凹部を設けると共に、該陥凹部周壁を断面略台形状に形成し、
前記緊急弁体作動体のマグネットによる磁力を発生する貫通孔周りの弁本体外面に接触する面に、前記陥凹部に合致する断面略台形部を形成すると共に、該断面略台形部周囲に前記陥凹部周壁と合致する断面略台形状の環状溝を形成した
ことを特徴とする緊急遮断弁。
【請求項２】
前記マグネットケースの筒状板部の高さを調整して、貫通孔周りの弁本体外面に発生する磁力を調整することを特徴とする請求項１記載の緊急遮断弁。
【請求項３】
前記流体通路は、吊り下げ部材により上方から吊り下げられた暖房機の燃料となるガス配管であり、
前記緊急弁体作動体は、索条を介して前記暖房機に接続され、該暖房機の落下時に索条に作用する張力でマグネットによる磁力を発生する貫通孔周りの弁本体外面から引き離されるものであることを特徴とする請求項１又は２記載の緊急遮断弁。
【発明の詳細な説明】
【０００１】
【産業上の利用分野】
本発明は、例えば、養豚、養鶏用のガス暖房機のガス等の燃料配管等に介装されて緊急時に前記配管を遮断するのに用いられる緊急遮断弁に関し、特に、遮断弁の作動性の向上を図って、安全性を高める技術に関する。
【０００２】
【従来の技術】
近年、養豚場や養鶏場にガス暖房機（ガスブルーダー）を使用する傾向が多くみられている。
このガスブルーダーは、図に示すように、ガス配管にゴムホースを介して接続され、チェーン，フック等の吊下手段により上方の支持部から吊り下げ支持される。
【０００３】
【発明が解決しようとする課題】
ところで、このようにチェーン，フック等の吊下手段により支持部から吊り下げ支持されたガスブルーダーにあっては、チェーン，フック等の吊下手段の切断や外れ或いは鶏や豚のいたずらによって、落下する危険性があり、火災の原因となる問題があった。
【０００４】
このため、ガス配管に介装され、ガスブルーダーに張力が印加された場合にガス配管を遮断するように作動する緊急遮断弁が提案されている。
しかし、従来の緊急遮断弁にあっては、ガスブルーダーに印加された張力に対する緊急遮断弁の作動性に劣り、弱い張力で作動してしまったり、逆に強い張力でも作動しない場合がある等、作動の信頼性に劣り、安全性に劣るという問題点があった。
【０００５】
そこで、本発明は上記に鑑みてなされたものであり、吊り下げ式の暖房機等に印加された張力に対する緊急遮断弁の作動性の向上を図って、作動の信頼性を高め、安全性の向上を図ることを目的とする。
【０００６】
【課題を解決するための手段】
このため、請求項１記載の発明は、
流体通路に介装され、該流体通路を緊急時に遮断する遮断弁であって、
流体の入口部と、出口部と、該入口部と出口部とを連絡する流体通路部とを備えた弁本体と、
前記流体通路部にスライド自由に設けられた弁体と、
前記弁体を常時は流体通路部に設けられた弁座に着座させる閉弁スライド方向に弾性付勢する弁体用弾性部材と、
前記弁体のスライド経路に、弁体を開弁方向にスライドした位置で係止する係止位置と、該係止を解除する係止解除位置との間をスライド自由に設けられたストッパと、
前記ストッパを常時は前記係止解除位置となる方向に弾性付勢するストッパ用弾性部材と、
前記弁本体のストッパのスライド経路の延長線上に設けられて、前記ストッパの一端部に設けられた作動ロッド部が貫通可能な貫通孔と、
前記弁本体の前記貫通孔周りに設けられ、該貫通孔周りの弁本体外面に磁力を発生させる環状のマグネットと、
リング状板部と該板部の表面周部から立ち上がる筒状板部とからなり、前記リング状板部と筒状板部からなるリング状の陥凹部に前記マグネットを保持する磁性体からなるマグネットケースと、
前記貫通孔周りの弁本体外面に前記マグネットの磁力により吸着されて前記貫通孔から貫通突出される作動ロッド部を押圧して前記ストッパを前記係止位置に保持し、前記貫通孔周りの弁本体外面から前記マグネットの磁力に抗して引き離された際に前記作動ロッド部の押圧によるストッパ係止位置保持を解除する磁性体からなる緊急弁体作動体と、
を含んで構成され、
前記マグネットによる磁力を発生する貫通孔周りの弁本体外面に、陥凹部を設けると共に、該陥凹部周壁を断面略台形状に形成し、
前記緊急弁体作動体のマグネットによる磁力を発生する貫通孔周りの弁本体外面に接触する面に、前記陥凹部に合致する断面略台形部を形成すると共に、該断面略台形部周囲に前記陥凹部周壁と合致する断面略台形状の環状溝を形成した構成とした。
【０００７】
請求項２記載の発明は、
前記マグネットケースの筒状板部の高さを調整して、貫通孔周りの弁本体外面に発生する磁力を調整する構成とした。
【０００８】
請求項３記載の発明は、
前記流体通路を、吊り下げ部材により上方から吊り下げられた暖房機の燃料となるガス配管とし、
前記緊急弁体作動体を、索条を介して前記暖房機に接続され、該暖房機の落下時に索条に作用する張力でマグネットによる磁力を発生する貫通孔周りの弁本体外面から引き離されるものとした。
【０００９】
【作用】
請求項１記載の発明において、例えば、請求項３記載の発明のように、吊り下げ支持される暖房機の燃料となるガス配管に緊急遮断弁を介装した場合、緊急弁体作動体を貫通孔周りの弁本体外面にセットする。この状態では、緊急弁体作動体が陥凹部に作用するマグネットの磁力により吸着保持される。
【００１０】
従って、ストッパは、その作動ロッド部が緊急弁体作動体により押圧されることにより、弾性体の弾性力に抗して押され、弁体係止位置に位置される。これにより弁体が係止され、閉弁方向へはスライド不能の状態となり、弁体は、弾性体の弾性力に抗して弁座から離れた開弁状態に保持される。
よって、流体入口部から導入されたガス等は流体通路を経て出口部から暖房機等に供給され、暖房機が使用可能となる。
【００１１】
ここで、チェーン，フック等の吊下手段の切断や外れ等によって、暖房機が落下した場合には、索条に暖房機の重力が印加され、これにより、索条に連結された緊急弁体作動体がマグネットの磁力に抗して、貫通孔周りの弁本体外面から離脱する。
【００１２】
従って、ストッパは、その作動ロッド部が緊急弁体作動体により押圧される状態が解かれることにより、弾性部材の弾性力により押され、弁体係止位置から外れた位置に位置される。これにより弁体は、弾性部材の弾性力によって弁座に圧接した閉弁状態に保持される。
【００１３】
よって、入口部から導入されたガス等は流体通路にて閉弁状態の弁体により遮断され、暖房機に供給されなくなり、暖房機の燃焼状態が停止される。
このように、チェーン，フック等の吊下手段の切断や外れ等によって、暖房機が落下した場合に、暖房機の燃焼状態が緊急停止される結果、火災の発生を防止することができる。
【００１４】
ここで、請求項１記載の発明の独特の作用について説明する。
即ち、マグネットによる磁力を発生する貫通孔周りの弁本体外面に、陥凹部を設けると共に、該陥凹部周壁を断面略台形状に形成し、緊急弁体作動体のマグネットによる磁力を発生する貫通孔周りの弁本体外面に接触する面に、前記陥凹部に合致する断面略台形部を形成すると共に、該断面略台形部周囲に前記陥凹部周壁と合致する断面略台形状の環状溝を形成したから、緊急弁体作動体が横方向或いは下方向から引っ張られた場合、即ち、上述したように、チェーン，フック等の吊下手段の切断や外れ等によって、暖房機が落下した場合に、緊急弁体作動体が弁本体側から外れ易く、暖房機の落下に対する遮断弁の弁体遮断作動を確実に行うことができ、信頼性が高い。
【００１５】
又、マグネットケースを、リング状板部と該板部の表面周部から立ち上がる筒状板部とから構成して、前記マグネットを、リング状板部と筒状板部からなるリング状の陥凹部内側に保持させるようにしたから、マグネットの裏面側の磁力がリング状板部から筒状板部へと至って、マグネットケースの表側にも作用する。このため、マグネットの磁力の他にマグネットケースの筒状板部にも磁力が作用する結果、マグネット単体よりも強い磁力が発生し、暖房機の通常使用時においては、緊急弁体作動体が弁本体側から外れ難く、暖房機の通常使用時における遮断弁の誤作動等を確実に防止でき、信頼性が高い。
【００１６】
請求項２記載の発明において、マグネットケースの筒状板部の高さを変更して、マグネット表面位置と筒状板部端面位置との関係を変化させることにより、磁力を調節することができ、使用形態によって異なって要求されるマグネット磁力を容易に変更することができて便利である。
【００１７】
【実施例】
以下、本発明の実施例を図面に基づいて詳述する。
図２において、ガスブルーダー１は、燃料通路としてのガス配管２のコネクタ部３に、燃料通路としての接続ガス配管４とゴムホース５を介して接続され、チェーン，フック等の吊下手段６により図示しない支持部から吊り下げ支持されている。前記接続ガス配管４とゴムホース５との接続部にはヒューズコック７が介装されている。
【００１８】
そして、前記接続ガス配管４のコネクタ部３とヒューズコック７との間には、本発明に係る緊急遮断弁８が介装される。
【００１９】
かかる緊急遮断弁８の一実施例の構成を図１に基づいて説明する。
緊急遮断弁８は、ガスの入口部９と、出口部１０と、該入口部９と出口部１０を連絡するガス通路としてのガス通路孔１１を備えた弁本体１２と、ガス通路孔１１にスライド自由に設けられた弁体１３と、弁体１３を常時はガス通路孔１１に設けられた弁座１４に着座させる閉弁スライド方向に弾性付勢する弁体用弾性部材としてのスプリング１５と、弁体１３のスライド移動経路、即ち、ガス通路孔１１に、弁体１３を開弁方向にスライドした位置で係止する係止位置と、該係止を解除する係止解除位置との間をスライド自由に設けられたストッパとしてのスピンドル１６と、スピンドル１６を常時は前記係止解除位置となる方向に弾性付勢するストッパ用弾性部材としてのリセットスプリング１７と、弁本体１２のスピンドル１６のスライド経路の延長線上に設けられて、スピンドル１６の一端部に設けられた作動ロッド部１６Ａが貫通可能な貫通孔１８Ａと、弁本体１２の貫通孔１８Ａ周りに設けられ、該貫通孔１８Ａ周りの弁本体１２外面に磁力を発生させる環状のマグネット１９と、マグネット１９を保持する磁性体からなるマグネットケース２０と、貫通孔１８Ａ周りの弁本体１２外面にマグネット１９の磁力により吸着されて貫通孔１８Ａから貫通突出される作動ロッド部１６Ａを押圧してスピンドル１６を前記係止位置に保持し、貫通孔１８Ａ周りの弁本体１２外面からマグネット１９の磁力に抗して引き離された際に貫通孔１８Ａから貫通突出される作動ロッド部１６Ａの押圧によるストッパ係止位置保持を解除する緊急弁体作動体としての磁性体からなるヨーク蓋２１と、を含んで構成される。
【００２０】
かかる構成を詳述すると、前記弁本体１２は両端部が開放された筒部１２Ａと、該筒部１２Ａの周壁の一部から筒部１２Ａの軸と直交する方向に膨出されて閉塞される閉塞筒部１２Ｂと、筒部１２Ａの周壁の前記閉塞筒部１２Ｂと相対向する部位から筒部１２Ａの軸と直交する方向に膨出されて開放される開放筒部１２Ｃと、から構成される。
【００２１】
前記筒部１２Ａの一方の端部は、前記ガス入口部９として開放され、その内周面には、前記接続ガス配管４がねじ嵌合されるめねじ部９ａが形成され、他方の端部は、前記ガス出口部１０として開放され、その内周面には、前記接続ガス配管４がねじ嵌合されるめねじ部１０ａが形成される。
【００２２】
前記弁体１３は、先端部が閉塞された筒状に形成され、先端近傍の周壁の複数位置にガス吐出孔１３ａが開設されている。又、弁体１３の周壁先端部に形成された環状溝１３ｂにはＯリング２２が嵌着される。
【００２３】
かかる弁体１３は、前記ガス入口部９側のガス通路孔１１内周面にスライド自由に嵌合支持される。この場合、ガス通路孔１１の弁体スライド支持部のガス入口部９側開放端内周面には円錐状テーパ面からなる弁座１４が形成され、弁体１３のＯリング２２が弁座１４に圧接することにより、ガス通路孔１１と弁体１３のガス吐出孔１３ａとが遮断される閉弁状態となり、弁体１３のＯリング２２が弁座１４から離間することにより、ガス通路孔１１と弁体１３のガス吐出孔１３ａとが連通される開弁状態となる。
【００２４】
前記スプリング１５は、弁体１３先端面とガス入口部９の内側端部近傍位置に設けられた花形ストッパ２３との間に介装される。
【００２５】
前記スピンドル１６は、円柱部１６Ｂと該円柱部１６Ｂの一端部に連接して設けられた前記作動ロッド部１６Ａと、円柱部１６Ｂの一端部に連接して設けられたスプリング係合ロッド部１６Ｃとから構成される。前記円柱部１６Ｂ周面に形成された環状溝１６ａにはＯリング２４が嵌着される。
【００２６】
又、円柱部１６Ｂとスプリング係合ロッド部１６Ｃとの境部は円錐状テーパ面１６ｂに形成される。
【００２７】
前記リセットスプリング１７は、筒部１２Ｂ内底面とスプリング係合ロッド部１６Ｃ先端のフランジ部１６ｃとの間に介装される。
前記開放筒部１２Ｃの先端部にはフランジ部１２ａが形成され、該フランジ部１２ａの先端面には前記貫通孔１８Ａが形成されたカラー１８が装着される。
【００２８】
前記マグネット１９は、環状で板状に形成されると共に、前記マグネットケース２０は、リング状板部２０Ａと該板部２０Ａの表面周部から立ち上がる筒状板部２０Ｂとからなり、前記マグネット１９は、リング状板部２０Ａと筒状板部２０Ｂからなるリング状の陥凹部２０Ｃ内側に保持される。
【００２９】
この場合、マグネット１９を保持したマグネットケース２０は、開放筒部１２Ｃ先端面にセットされ、マグネットケース２０のリング状板部２０Ａの中心孔とマグネット１９の中心孔に前記カラー１８が嵌挿される。又、マグネット１９表面にはマグネットカバー２５が被せられている。
【００３０】
前記開放筒部１２Ｃのフランジ部１２ａには、マグネット１９とマグネットケース２０とカラー１８とを、開放筒部１２Ｃ先端部に保持するヨーク２６が取り付けられている。
【００３１】
このヨーク２６は、筒状に形成され、基端側内周面には開放筒部１２Ｃのフランジ部１２ａ外周面に形成されたおねじ部１２ｂに嵌合されるめねじ部２６ａが形成される。又、ヨーク２６の先端部には内側に張り出す環状の押さえ部２６Ａが一体形成されており、該ヨーク２６を開放筒部１２Ｃに固定した際に、この押さえ部２６Ａにて前記マグネットケース２０の先端部を押さえ固定して、マグネット１９とマグネットケース２０とカラー１８とを保持する。
【００３２】
ここで、前記マグネット１９による磁力を発生する貫通孔１８Ａ周りの弁本体１２外面には、陥凹部が設けられると共に、該陥凹部周壁は断面略台形状に形成される。
即ち、前記開放筒部１２Ｃにヨーク２６を取り付けることにより、ヨーク２６の端面にマグネット１９表面とマグネットケース２０の筒状板部２０Ｂの端面とが露呈する陥凹部２７が形成され、ヨーク２６の押さえ部２６Ａを断面略台形状に形成することによって、前記陥凹部２７周壁に断面略台形状が形成される。
【００３３】
一方、ヨーク蓋２１は、円板状の蓋部２１Ａと該蓋部２１Ａの後面中央部に連接して設けられた連結部２１Ｂとから構成される。
かかるヨーク蓋２１のマグネット１９による磁力を発生する貫通孔１８Ａ周りの弁本体１２外面に接触する面、即ち、蓋部２１Ａ前面には、前記陥凹部２７に合致する断面略台形部２１ａが形成されると共に、該断面略台形部２１ａ周囲には前記陥凹部２７周壁である押さえ部２６Ａと合致する断面略台形状の環状溝２１ｂが形成される。
【００３４】
前記ヨーク蓋２１の連結部２１Ｂには、索条としてのチェーン２８の一端が連結され、該チェーン２８の他端はガスブルーダー１に連結される。
【００３５】
次に、かかる構成の緊急遮断弁８の作用について説明する。
ガスブルーダー１を使用するに当たって緊急遮断弁８をセットする際には、ヨーク蓋２１を、ヨーク２６にセットする。即ち、ヨーク蓋２１の断面略台形部２１ａを陥凹部２７にセットしかつ環状溝２１ｂをヨーク２６の押さえ部２６Ａにセットする。この状態では、ヨーク蓋２１が陥凹部２７に作用するマグネット１９の磁力により吸着保持される。
【００３６】
従って、スピンドル１６は、その作動ロッド部１６Ａがヨーク蓋２１により押圧されることにより、リセットスプリング１７の弾性力に抗して図１において右側に押され、円柱部１６Ｂが弁体１３の後端部の後方に位置される。これにより弁体１３の後端部は円柱部１６Ｂに係止され、後方へはスライド不能の状態となり、弁体１３は、スプリング１５の弾性力に抗して弁座１４から離れた開弁状態に保持される。
【００３７】
よって、ガス入口部９から導入されたガスはガス通路孔１１を経て出口部１０からガスブルーダー１に供給され、ガスブルーダー１が使用可能となる。
かかる状態は図２に示す通りである。
【００３８】
ここで、チェーン，フック等の吊下手段６の切断や外れ或いは鶏や豚のいたずらによって、図３に示すように、ガスブルーダー１が落下した場合には、チェーン２８にガスブルーダー１の重力が印加され、これにより、チェーン２８に連結されたヨーク蓋２１がマグネット１９の磁力に抗って、ヨーク２６から離脱する。
【００３９】
従って、スピンドル１６は、その作動ロッド部１６Ａがヨーク蓋２１により押圧される状態が解かれることにより、リセットスプリング１７の弾性力により図１において左側に押され、円柱部１６Ｂが弁体１３の後端部の後方から外れた位置に位置される。これにより弁体１３の後端部は円柱部１６Ｂに係止される状態が解かれ、後方へスライド可能な状態となり、弁体１２は、スプリング１５の弾性力によってそのＯリング２２が弁座１４に圧接した閉弁状態に保持される。
【００４０】
よって、ガス入口部９から導入されたガスはガス通路孔１１にて閉弁状態の弁体１３により遮断され、ガスブルーダー１に供給されなくなり、ガスブルーダー１の燃焼状態が停止される。
【００４１】
このように、チェーン，フック等の吊下手段６の切断や外れ或いは鶏や豚のいたずらによって、ガスブルーダー１が落下した場合に、ガスブルーダー１の燃焼状態が緊急停止される結果、火災の発生を防止することができる。
【００４２】
ここで、上記実施例の独特の構成による利点について説明する。
即ち、上記の構成においては、弁本体１２の開放筒部１２Ｃにヨーク２６を取り付けることにより、ヨーク２６の端面にマグネット１９表面とマグネットケース２０の筒状板部２０Ｂの端面とが露呈する陥凹部２７を形成し、ヨーク２６の押さえ部２６Ａを断面略台形状に形成して、陥凹部２７の周部を断面略台形状に形成する一方、ヨーク蓋２１のマグネット１９による磁力を発生する貫通孔１８Ａ周りの弁本体１２外面に接触する面、即ち、蓋部２１Ａに、前記陥凹部２７に合致する断面略台形部２１ａを形成すると共に、該断面略台形部２１ａ周囲に前記押さえ部２６Ａと合致する断面略台形状の環状溝２１ｂを形成するようにしたから、上述したように、チェーン，フック等の吊下手段の切断や外れ或いは鶏や豚のいたずらによって、ガスブルーダーが落下して、ヨーク蓋２１が横方向或いは下方向から引っ張られた場合に、ヨーク蓋２１が弁本体１２側から外れ易く、ガスブルーダー１の落下に対する緊急遮断弁８の遮断作動を確実に行うことができ、信頼性が高い。
【００４３】
又、上記実施例においては、マグネットケース２０を、リング状板部２０Ａと筒状板部２０Ｂとから構成して、マグネット１９を、リング状板部２０Ａと筒状板部２０Ｂとからなるリング状の陥凹部２０Ｃ内側に保持させるようにしたから、マグネット１９の裏面側の磁力がリング状板部２０Ａから筒状板部２０Ｂへと至って、マグネットケース２０の表側にも作用する。このため、マグネット１９自体の磁力の他にマグネットケース２０の筒状板部２０Ｂにも磁力が作用する結果、マグネット１９単体よりも強い磁力が発生し、ガスブルーダー１の通常使用時においては、ヨーク蓋２１が弁本体１２側から外れ難く、ガスブルーダー１の通常使用時において緊急遮断弁８の遮断作動等の誤作動等を確実に防止でき、信頼性が高い。
【００４４】
特に、マグネットケース２０の筒状板部２０Ｂの高さを変更して、マグネット１９表面位置と筒状板部２０Ｂ端面位置との関係を変化させることにより、磁力を調節することができ、使用形態によって異なって要求されるマグネット１９の磁力を容易に変更することができて便利である。
【００４５】
尚、上記実施例においては、吊り下げ支持されるガスブルーダー１のガス配管に介装される緊急遮断弁に本発明を適用した例について説明したが、これに限らず、流体通路に介装され、該流体通路を緊急時に遮断する遮断弁に本発明を適用することができる。
【００４６】
【発明の効果】
以上説明したように、請求項１記載の発明によれば、流体通路を緊急時に確実に遮断することができ、特に、緊急弁体作動体が弁本体側から外れ易く、遮断弁の弁体遮断作動を確実に行うことができると共に、通常使用時においては、緊急弁体作動体が弁本体側から外れ難く、通常使用時における遮断弁の誤作動等を確実に防止でき、信頼性が高い。
【００４７】
請求項２記載の発明によれば、マグネットケースの筒状板部の高さを変更して、マグネット表面位置と筒状板部端面位置との関係を変化させることにより、磁力を調節することができ、使用形態によって異なって要求されるマグネット磁力を容易に変更することができて便利である。
【００４８】
請求項３記載の発明によれば、チェーン，フック等の吊下手段の切断や外れ等によって、暖房機が落下した場合に、暖房機の燃焼状態が緊急停止される結果、火災の発生を防止することができる。
【図面の簡単な説明】
【図１】請求項１〜３記載の発明の一実施例を示す断面図
【図２】同上実施例における緊急遮断弁の通常使用状態を示す概略図
【図３】同上実施例における緊急遮断弁の作動状態を示す概略図
【符号の説明】
１  ガスブルーダー
２  ガス配管
４  接続ガス配管
６  吊下手段
８  緊急遮断弁
９  ガスの入口部
１０  出口部
１１  ガス通路孔
１２  弁本体
１３  弁体
１４  弁座
１５  スプリング
１６  スピンドル
１７  リセットスプリング
１８Ａ  貫通孔
１９  マグネット
２０  マグネットケース
２１  ヨーク蓋
２６  ヨーク
２８  チェーン
【図１】
0003542847.tif 000002
【図２】
0003542847.tif 000003
【図３】
0003542847.tif 000004